(57)【要約】【課題】電源のオンオフとロック状態の設定及び解除とを行う操作を容易に行うことが可能なガス調理器を提供する。【解決手段】コンロは、バーナと、点火ボタンを含む操作部と、電源スイッチとを備えている。点火ボタンはバーナに点火する場合に操作される。コンロが電源オン状態である場合において電源スイッチが時間Ｃ未満操作された場合（Ｓ２６：ＮＯ）、電源オフ状態に切り替えられる（Ｓ３４）。コンロが電源オン状態である場合において電源スイッチが時間Ｃ以上操作された場合（Ｓ２７；ＹＥＳ）、ロック状態に切り替えられる（Ｓ３３）。ロック状態では、コンロは操作部の操作を受け付けない。コンロがロック状態である場合において、電源スイッチが所定時間以上操作された場合、ロック状態が解除される。【選択図】図５
2015045445.tif 000002
【特許請求の範囲】
【請求項１】
ガスを燃焼するバーナを備えたガス調理器であって、
前記バーナに点火する場合に操作される点火スイッチを含む操作部と、
前記ガス調理器の電源のオンオフを切り替える場合に操作される電源スイッチと、
前記電源がオフであり、且つ前記電源スイッチが操作された場合に、前記電源をオンするオン手段と、
前記電源がオンであり、且つ前記電源スイッチが第一所定時間未満操作された場合に、前記電源をオフするオフ手段と、
前記電源がオンであり、且つ前記電源スイッチが前記第一所定時間以上操作された場合に、前記ガス調理器を、前記操作部の操作を受け付けないロック状態に設定するロック手段と、
前記ロック手段によって前記ロック状態に設定された場合において、前記電源スイッチが第二所定時間以上操作された場合に、前記ロック状態を解除するロック解除手段と
を備えたことを特徴とするガス調理器。
【請求項２】
前記オン手段は、前記電源がオフであり、且つ前記電源スイッチが第三所定時間未満操作された場合に、前記電源をオンし、
前記ロック手段は、前記電源がオフであり、且つ前記電源スイッチが前記第三所定時間以上操作された場合に、前記ロック状態に設定することを特徴とする請求項１に記載のガス調理器。
【請求項３】
前記電源スイッチ又は前記電源スイッチの近傍に設けられた第一発光部と、
前記電源スイッチ又は前記電源スイッチの近傍に設けられた第二発光部と、
前記オン手段によって前記電源がオンされる場合に、前記第一発光部を発光させる第一発光制御手段と、
前記ロック手段によって前記ロック状態に設定される場合に、前記第二発光部を発光させる第二発光制御手段と
を備えたことを特徴とする請求項１又は２に記載のガス調理器。
【請求項４】
前記ロック手段によって前記ロック状態に設定された場合において、前記電源スイッチが操作された場合に、前記ロック状態であることを報知する報知手段を備えたことを特徴とする請求項１から３のいずれかに記載のガス調理器。
【請求項５】
前記ロック解除手段は、前記ロック手段によって前記ロック状態に設定された場合において、前記電源スイッチが前記第二所定時間以上操作された場合に、前記ロック状態を解除し、前記電源をオンすることを特徴とする請求項１から４のいずれかに記載のガス調理器。
【発明の詳細な説明】
【技術分野】
【０００１】
本発明は、ロック機能を備えたガス調理器に関する。
【背景技術】
【０００２】
従来、ロック機能を備えたガス調理器が知られている。例えば、特許文献１に記載のシートキースイッチ付きガスこんろは、電源をオンオフするためのスイッチ（以下、電源スイッチという）と、操作表示パネルとを備えている。電源スイッチは、こんろ本体の前面の右上部に設けられている。操作表示パネルは、こんろ本体の前面の右下部に配置されている。操作表示パネルは、前端の蓋を押し込むと係止手段が外れて、ばねの力で前方に突出するように出入自在に構成されている。操作表示パネルには、チャイルドロックスイッチを含む複数のシートキーが配置されている。チャイルドロックスイッチは、年少者などがいたずらで点火スイッチをオンしても、バーナの点火動作を受け付けないようにするチャイルドロック機能を設定及び解除するスイッチである。コンロ本体の電源スイッチがオンされると、ガスこんろはチャイルドロックスイッチのオンを受け付ける。使用者がチャイルドロック機能の設定及び解除に必要な時間だけチャイルドロックスイッチを押すと、チャイルドロックの設定及び解除が行われる。
【先行技術文献】
【特許文献】
【０００３】
【特許文献１】特開２００６−２４２４２３号公報
【発明の概要】
【発明が解決しようとする課題】
【０００４】
使用者は、チャイルドロック機能を設定又は解除する場合、電源をオンした後、操作表示パネルの前端の蓋を押し込んで操作表示パネルをコンロ本体の前方に突出させ、さらに、操作表示パネル中の複数のシートキーの中からチャイルドロックスイッチを探しださなければならない。このため、チャイルドロックの迅速な設定及び解除が困難であった。
【０００５】
本発明の目的は、ロック状態の設定及び解除の操作を容易に行うことが可能なガス調理器を提供することである。
【課題を解決するための手段】
【０００６】
本発明の請求項１に係る発明のガス調理器は、ガスを燃焼するバーナを備えたガス調理器であって、前記バーナに点火する場合に操作される点火スイッチを含む操作部と、前記ガス調理器の電源のオンオフを切り替える場合に操作される電源スイッチと、前記電源がオフであり、且つ前記電源スイッチが操作された場合に、前記電源をオンするオン手段と、前記電源がオンであり、且つ前記電源スイッチが第一所定時間未満操作された場合に、前記電源をオフするオフ手段と、前記電源がオンであり、且つ前記電源スイッチが前記第一所定時間以上操作された場合に、前記ガス調理器を、前記操作部の操作を受け付けないロック状態に設定するロック手段と、前記ロック手段によって前記ロック状態に設定された場合において、前記電源スイッチが第二所定時間以上操作された場合に、前記ロック状態を解除するロック解除手段とを備えたことを特徴とする。
【０００７】
また、請求項２に係る発明のガス調理器では、請求項１に記載の発明の構成に加え、前記オン手段は、前記電源がオフであり、且つ前記電源スイッチが第三所定時間未満操作された場合に、前記電源をオンし、前記ロック手段は、前記電源がオフであり、且つ前記電源スイッチが前記第三所定時間以上操作された場合に、前記ロック状態に設定することを特徴とする。
【０００８】
また、請求項３に係る発明のガス調理器では、請求項１又は２に記載の発明の構成に加え、前記電源スイッチ又は前記電源スイッチの近傍に設けられた第一発光部と、前記電源スイッチ又は前記電源スイッチの近傍に設けられた第二発光部と、前記オン手段によって前記電源がオンされる場合に、前記第一発光部を発光させる第一発光制御手段と、前記ロック手段によって前記ロック状態に設定される場合に、前記第二発光部を発光させる第二発光制御手段とを備えたことを特徴とする。
【０００９】
また、請求項４に係る発明のガス調理器では、請求項１から３のいずれかに記載の発明の構成に加え、前記ロック手段によって前記ロック状態に設定された場合において、前記電源スイッチが操作された場合に、前記ロック状態であることを報知する報知手段を備えたことを特徴とする。
【００１０】
また、請求項５に係る発明のガス調理器では、請求項１から４のいずれかに記載の発明の構成に加え、前記ロック解除手段は、前記ロック手段によって前記ロック状態に設定された場合において、前記電源スイッチが前記第二所定時間以上操作された場合に、前記ロック状態を解除し、前記電源をオンすることを特徴とする。
【発明の効果】
【００１１】
請求項１に係る発明のガス調理器では、使用者は、１つの電源スイッチを操作し、電源のオンオフとロック状態の設定及び解除とを行うことができる。電源をオンオフする機能と、ロック状態の設定及び解除をする機能とは、共にガス調理器の使用の可否等に関係する機能である。本発明では、使用者は、１つの電源スイッチを操作して、使用の可否等に関係する機能を切り替えることができるので、電源のオンオフには電源スイッチを操作し、ロック状態の設定及び解除にはロック状態の設定及び解除を行うためのスイッチを探して操作する場合に比べて、ロック状態の設定及び解除を容易に行うことができる。また、ロック状態の設定及び解除を行うためのスイッチを電源スイッチとは別に設ける場合に比べてスイッチの数が少なくなるので、デザイン性が向上する。また、スイッチの数が少なくなるので、コストダウンすることができる。
【００１２】
請求項２に係る発明のガス調理器では、請求項１に記載の発明の効果に加え、電源スイッチが第三所定時間以上操作された場合、電源オフの状態にあるガス調理器が、直接ロック状態に設定されるので、電源スイッチを操作して電源オフからオンに切り替えた後に、もう一度電源スイッチを操作してロック状態に切り替える場合に比べて、使用者の利便性が向上する。
【００１３】
請求項３に係る発明のガス調理器では、請求項１又は２に記載の発明の効果に加え、使用者が操作をする電源スイッチ又はその近傍に、第一発光部と第二発光部とが設けられているので、使用者は、電源スイッチの操作を行う直前に、容易にガス調理器の状態を認識することができる。よって、例えば、すでにロック状態にあるにもかかわらず、ロック状態に設定するように電源スイッチを操作するなど、使用者が誤操作を行う可能性を低減できる。
【００１４】
請求項４に係る発明のガス調理器では、請求項１から３のいずれかに記載の発明の効果に加え、ロック状態であれば、電源スイッチを操作した時に報知手段によってロック状態であることが報知されるので、使用者はガス調理器がロック状態であることを容易に認識することができる。よって、使用者は、電源スイッチを操作した状態から継続して第二所定時間以上操作すれば、ロック状態を解除できることを容易に判断することができる。よって、スムーズにロック状態を解除する操作を行うことができる。
【００１５】
請求項５に係る発明のガス調理器では、請求項１から４のいずれかに記載の発明の効果に加え、電源スイッチが第二所定時間以上操作された場合、ロック状態にあるガス調理器の電源がオンされるので、電源スイッチを操作してガス調理器をロック状態から電源オフに切り替えた後に、もう一度電源スイッチを操作して電源をオンする場合に比べて、使用者の利便性が向上する。
【図面の簡単な説明】
【００１６】
【図１】コンロ１の斜視図である。
【図２】電源スイッチ１０の周辺の構成を示す正面図である。
【図３】コンロ１の電気的構成を示すブロック図である。
【図４】状態設定処理のフローチャートである。
【図５】図４及び図６の続きを示すフローチャートである。
【図６】図４及び図５の続きを示すフローチャートである。
【発明を実施するための形態】
【００１７】
以下、本発明の実施形態について、図面に基づいて説明する。図１において、左斜め下方、右斜め上方、右斜め下方、左斜め上方、上方、下方を、夫々、コンロ１の前方、後方、右方、左方、上方、下方とする。なお、図１に示すコンロ１は、図示しないキッチンのカウンタートップに設けられた開口に落とし込まれて設置されるビルトインコンロである。
【００１８】
図１を参照し、コンロ１の全体構造について説明する。コンロ１は略直方体状の器具本体２を備える。器具本体２の内側の幅方向中央には、グリル庫（図示略）が取り付けられている。器具本体２の上部には、平面視長方形状のトッププレート３が取り付けられている。トッププレート３にはガスを燃焼する各種バーナ４〜６が設けられている。より詳細には、トッププレート３の右手前には右バーナ４、左手前には左バーナ５、中央奥側には奥バーナ６が夫々設けられている。奥バーナ６の後方には、グリル庫内と連通する排気口７が設けられている。なお、各種バーナ４〜６には、点火の為のイグナイタ５１（図３参照）及び失火検知用の熱伝対等が各々取り付けられている。
【００１９】
器具本体２の前面中央には、正面視長方形状のグリル扉８が設けられている。グリル扉８は、器具本体２に配置されたグリル庫内に設けられたレールユニット（図示略）によって前後方向にスライド可能に設けられ、グリル庫の前面のグリル開口（図示略）を開閉する。
【００２０】
器具本体２の前面の右上角部には、電源スイッチ１０が設けられている。電源スイッチ１０は、コンロ１の電源のオンオフを切り替える場合に押下される。電源スイッチ１０の下側には、右側から左側に向かって順に、正面視円形状の点火ボタン１１〜１３が横一列に夫々設けられている。さらに、グリル扉８の左側にも、点火ボタン１１〜１３と同一高さ位置に、正面視円形状の点火ボタン１４が設けられている。点火ボタン１１は右バーナ４、点火ボタン１２は左バーナ５、点火ボタン１３は奥バーナ６、点火ボタン１４はグリル庫内のグリルバーナ（図示略）を点火／消火する為に夫々押下される。点火ボタン１１〜１４は、点火の為に押下されると、周知のプッシュオン・プッシュオフ機構（図示略）によって、器具本体２の前面から前方に円柱状に突出し、該突出した状態で回動操作が可能となる。使用者は、点火ボタン１１〜１４を夫々回動させることによって、各種バーナ４〜６、及びグリル庫内のグリルバーナの火力調節を行う。
【００２１】
さらに、器具本体２の前面において、点火ボタン１１〜１３の下方にはパネル１６が設けられ、点火ボタン１４の下方にはパネル１７が設けられている。パネル１６を指で押し込むと、周知のプッシュオン・プッシュオフ機構（図示略）によって、パネル１６の背面に固定された板状のコンロ用操作パネル１８（図３参照、図１では図示略）を前方に引き出すことができる。パネル１７を指で押し込むと、上記同機構によって、パネル１７の背面に固定された板状のグリル用操作パネル１９（図３参照、図１では図示略）を前方に引き出すことができる。そして、これらパネル１６，１７を再度押し込むことによって、コンロ用操作パネル１８及びグリル用操作パネル１９が、器具本体２の内側に収納され、パネル１６，１７が器具本体２の前面と面一となる。以下の説明では、点火ボタン１１〜１４、コンロ用操作パネル１８、及びグリル用操作パネル１９を総称する場合、操作部２１という。
【００２２】
図２を参照し、電源スイッチ１０及びその周辺構造について説明する。図２に示すように、電源スイッチ１０の中央部には、第一発光部１０１が設けられている。第一発光部１０１は、電源を表すマークの形状をしており、透明な合成樹脂で形成されている。器具本体２の内側における第一発光部１０１の後方には、後述する電源ランプ３２（図３参照）が配置されており、電源ランプ３２が発光することで、第一発光部１０１が発光する。第一発光部１０１は、コンロ１の電源がオンされる場合に発光される。
【００２３】
電源スイッチ１０の近傍（本実施形態では左側）には、第二発光部１０２が設けられている。第二発光部１０２は、南京錠のマークの形状をしており、透明な合成樹脂で形成されている。器具本体２の内側における第二発光部１０２の後方には、後述するロックランプ３３（図３参照）が配置されており、ロックランプ３３が発光することで、第二発光部１０２が発光する。第二発光部１０２は、コンロ１が後述するロック状態に設定される場合に発光される。
【００２４】
電源スイッチ１０の右側には、「ロック長押し」の文字が印刷されている。「ロック長押し」の文字は、使用者が電源スイッチ１０を継続して押下（すなわち、長押し）することで、後述するロック状態に設定できることを表している。なお、印刷される文字は一例であり、例えば、具体的な長押しの時間が印刷されていてもよい。
【００２５】
図３を参照し、コンロ１の電気的構成について説明する。なお、本実施形態では、説明の便宜上、コンロ１の電気的構成の一部について説明している。図３に示すように、コンロ１は制御回路７０を備える。制御回路７０は、ＣＰＵ７１、ＲＯＭ７２、ＲＡＭ７３、フラッシュメモリ７４、及びタイマ７５等を備える。ＣＰＵ７１はコンロ１の各種動作を統括制御する。ＲＯＭ７２はコンロ１の各種制御プログラムに加え、「状態設定プログラム」を記憶する。状態設定プログラムは、後述する状態設定処理（図４〜図６参照）を実行する制御プログラムである。フラッシュメモリ７４は、コンロ１の各種情報を記憶する。ＣＰＵ７１はタイマ７５を使用して時間を計測する。タイマ７５はクロック信号に基づいて時間を計測するプログラムであってもよいし、時間を計測する電子部品であってもよい。
ＲＡＭ７３は、コンロ１が設定される状態の情報など、各種情報を記憶する。本実施形態では、コンロ１の状態は、スリープ状態、電源オフ状態、電源オン状態、及びロック状態のいずれかに設定される。
【００２６】
スリープ状態は、電源回路８１から制御回路７０を含む各種回路に電力が供給されていない状態である。コンロ１がスリープ状態に設定されると、乾電池９の電力の消耗が防止される。電源オフ状態、電源オン状態、及びロック状態では、少なくとも制御回路７０に電力が供給されている。電源オフ状態では、ＣＰＵ７１は、操作部２１の操作を受け付けないが、コンロ１の電源をオンオフするための電源スイッチ１０の操作は受け付ける。また、電源オフ状態では、ＣＰＵ７１は、ＲＡＭ７３及びフラッシュメモリ７４に対してデータの読み出し及び書き込みを行ったり、電磁弁３４を駆動するモータの回転軸の回転角度を初期位置に戻す動作を行ったりする。使用者は、電源オフ状態では調理を行うことができない。
【００２７】
電源オン状態では、ＣＰＵ７１は、操作部２１と電源スイッチ１０の操作を受け付ける。使用者は、電源オン状態で、操作部２１を操作して調理を行うことができる。ロック状態では、ＣＰＵ７１は、操作部２１の操作を受け付けない。また、ＣＰＵ７１は、ロック状態を解除する操作以外の電源スイッチ１０の操作を受け付けない。ロック状態に設定されると、例えば年少者などが操作部２１及び電源スイッチ１０を操作しても、電源オン状態にすることができず、年少者などがバーナの点火動作等を行うことを防止できる。
【００２８】
制御回路７０には、電源回路８１、スイッチ入力回路８２、操作パネル回路８３、点火ボタン操作回路８４、イグナイタ回路８５、Ｄ／Ａコンバータ８６、発光制御回路８７、発光制御回路８８、及び弁駆動回路８９等が各々接続されている。電源回路８１は電池ボックス（図示略）に搭載される２つの乾電池９によって各種回路に電力を供給する。なお、図３では、２つの乾電池９を２つの直流電源のマークで示している。
【００２９】
電源回路８１はトランジスタスイッチ（図示略）を備える。スイッチ入力回路８２は電源スイッチ１０の押下を検出する。電源スイッチ１０は、スイッチ入力回路８２と電池ボックスに格納された乾電池９のプラス側とに接続されている。乾電池９のマイナス側は電源回路８１に接続され、スイッチ入力回路８２も電源回路８１に接続されている。コンロ１の状態が、スリープ状態である場合、使用者によって電源スイッチ１０が押下されると、乾電池９の電力がスイッチ入力回路８２を介して電源回路８１に供給され、電源回路８１のトランジスタスイッチがオンされる。これにより、電源回路８１から各種回路に電力が供給され、コンロ１の状態が、電源オフ状態、ロック状態、又は電源オン状態に設定される。
【００３０】
操作パネル回路８３は、コンロ用操作パネル１８及びグリル用操作パネル１９の各種操作を検出し、制御回路７０に入力する。点火ボタン操作回路８４は点火ボタン１１〜１４の押下、及び回動操作を検出し、制御回路７０に入力する。イグナイタ回路８５は、制御回路７０からの指令を受け、複数のイグナイタ５１を各々駆動し、各種バーナ４〜６及びグリルバーナに点火する。弁駆動回路８９は、制御回路７０からの指令を受け、複数の電磁弁３４の夫々を駆動するモータ（図示略）を制御して各種バーナ４〜６及びグリルバーナへのガスの供給量を調整し、火力調整を行う。
【００３１】
Ｄ／Ａコンバータ８６は、制御回路７０からの音声のデジタル信号をアナログ信号に変換し、スピーカ３１に入力する。スピーカ３１は音声のアナログ信号に基づく音を出力する。発光制御回路８７は、制御回路７０からの指令を受け、電源ランプ３２を発光させる。発光制御回路８８は、制御回路７０からの指令を受け、ロックランプ３３を発光させる。電源ランプ３２及びロックランプ３３は、例えば、ＬＥＤ（Ｌｉｇｈｔ  Ｅｍｉｔｔｉｎｇ  Ｄｉｏｄｅ）である。
【００３２】
図４〜図６のフローチャートを参照し、ＣＰＵ７１が実行する状態設定処理について説明する。状態設定処理は、コンロ１を、スリープ状態、電源オフ状態、電源オン状態、及びロック状態の何れかに切り替える処理である。コンロ１がスリープ状態にある場合に使用者が電源スイッチ１０を押下すると、乾電池９からの電力が制御回路７０を含む各種回路に供給される。電力が供給されたＣＰＵ７１はＲＯＭ７２から「状態設定プログラム」を読み出して本処理を実行する。
【００３３】
まず、ＣＰＵ７１は、スリープ状態に入る直前のコンロ１の状態を示す情報を、フラッシュメモリ７４から読み出す（Ｓ１）。後述するが、ＣＰＵ７１は、コンロ１をスリープ状態に設定する直前のコンロ１が電源オフ状態であれば、電源オフ状態であることを示す情報をフラッシュメモリ７４に記憶し、コンロ１をスリープ状態に設定する。また、ＣＰＵ７１は、コンロ１をスリープ状態に設定する直前のコンロ１がロック状態であれば、ロック状態であることを示す情報をフラッシュメモリ７４に記憶し、コンロ１をスリープ状態に設定する。Ｓ１では、電源オフ状態であることを示す情報又はロック状態であることを示す情報が読み出される。
【００３４】
次いで、ＣＰＵ７１は、Ｓ１で読み出した情報が、ロック状態であることを示す情報であるか否かを判断する（Ｓ２）。ＣＰＵ７１はＳ１で読み出した情報が電源オフ状態であることを示す情報である場合、ロック状態であることを示す情報でないと判断し（Ｓ２：ＮＯ）、コンロ１を電源オフ状態に設定する（Ｓ３）。
【００３５】
次いで、ＣＰＵ７１は、電源スイッチ１０が押下されているか否かを判断する（Ｓ４）。電源スイッチ１０が押下されていない場合（Ｓ４：ＮＯ）、ＣＰＵ７１はＳ４を繰り返す。すなわち、コンロ１が電源オフ状態で待機した状態となる。なお、図示しないが、Ｓ４が繰り返された状態において、３分間操作されなかった場合、ＣＰＵ７１は、コンロ１が電源オフ状態であることを示す情報をフラッシュメモリ７４に記憶し、電源回路８１から各種回路への電力の供給を停止する。これによって、コンロ１がスリープ状態となり、状態設定処理は終了される。
【００３６】
以下の説明では、使用者によって電源スイッチ１０が押下され、コンロ１が電源オフ状態から電源オン状態に設定され、その後、ロック状態に設定される場合を例示しながら説明する。使用者は、コンロ１の状態を電源オフ状態から電源オン状態に切り替える場合、電源スイッチ１０を押下する。電源スイッチ１０が押下されると（Ｓ４：ＹＥＳ）、ＣＰＵ７１は、タイマ７５（図３参照）を使用して、時間Ｔ１の計測を０秒から開始する（Ｓ５）。次いで、ＣＰＵ７１は、電源スイッチ１０が押下されているか否かを判断する（Ｓ６）。電源スイッチ１０が押下されている場合（Ｓ６：ＹＥＳ）、ＣＰＵ７１は、時間Ｔ１が時間Ａ以上であるか否かを判断する（Ｓ７）。時間Ｔ１は、例えば、１秒以下の時間である。時間Ｔ１が時間Ａ以上でない場合（Ｓ７：ＮＯ）、ＣＰＵ７１は、処理をＳ６に戻す。
【００３７】
時間Ｔ１が時間Ａ未満の間に、電源スイッチ１０が押下されなくなった場合（Ｓ６：ＮＯ）、ＣＰＵ７１は、処理をＳ４に戻す。すなわち、電源スイッチ１０が継続して押下された時間が時間Ａより短い場合には、電源オフ状態が継続される。よって、例えば、使用者の体が誤って電源スイッチ１０に時間Ａ未満の間触れても、電源オン状態には設定されず、電源オフ状態が継続される。故に、使用者が意図しない場合に電源オン状態に設定されることを防止できる。
【００３８】
コンロ１を電源オフ状態から電源オン状態に設定する場合、使用者は電源スイッチ１０の押下を継続する。時間Ｔ１が時間Ａ以上になると（Ｓ７：ＹＥＳ）、ＣＰＵ７１は、スピーカ３１（図３参照）からブザー音を出力する（Ｓ８）。Ｓ８で出力されるブザー音は、例えば、１回の短音「ピッ」である。ＣＰＵ７１は、電源ランプ３２（図３参照）を発光させることで、第一発光部１０１（図２参照）を発光させる（Ｓ９）。ＣＰＵ７１は、Ｓ８及びＳ９を実行することで、電源オン状態に設定するために使用者が行うべき操作が完了したことを使用者に報知している。よって、報知されない場合に比べて、使用者は電源オン状態に設定するための操作が完了したことを認識し易い。
【００３９】
ＣＰＵ７１は、タイマ７５（図３参照）を使用して、時間Ｔ２の計測を０秒から開始する（Ｓ１０）。ＣＰＵ７１は、電源スイッチ１０が押下されているか否かを判断する（Ｓ１１）。電源スイッチ１０が押下されている場合（Ｓ１１：ＹＥＳ）、時間Ｔ２が時間Ｂ以上であるか否かが判断される（Ｓ１２）。時間Ｂは、例えば、３秒である。時間Ｔ２が時間Ｂ以上でない場合（Ｓ１２：ＮＯ）、ＣＰＵ７１は処理をＳ１１に戻す。使用者が電源スイッチ１０から手を離すと、ＣＰＵ７１は、電源スイッチ１０が押下されていないと判断し（Ｓ１１：ＮＯ）、コンロ１を電源オフ状態から電源オン状態に切り替える（Ｓ２１）。すなわち、コンロ１が電源オフ状態であり、電源スイッチが時間Ａ以上且つ時間Ｂ未満の間押下された場合に、コンロ１の電源がオンされる。なお、詳細は後述するが、時間Ｔ２が時間Ｂ以上になるように電源スイッチ１０の押下が継続された場合（Ｓ１２：ＹＥＳ）、コンロ１がロック状態に切り替えられる（Ｓ１８）。
【００４０】
電源オン状態に切り替えられると（Ｓ２１）、図５に示すように、電源スイッチ１０が押下されているか否かが判断される（Ｓ２２）。電源スイッチ１０が押下されていない場合（Ｓ２２：ＮＯ）、ＣＰＵ７１は、Ｓ２２を繰り返す。すなわち、コンロ１は電源オン状態であり、操作部２１の操作に基づく動作が可能な状態となっている。図示しないが、使用者は、点火ボタン１１〜１４を操作してバーナ４〜６及びグリルバーナに点火し、火力を調節するなどして、調理を行うことができる。また、コンロ用操作パネル１８、及びグリル用操作パネル１９を操作して、種々の設定を行うことができる。
【００４１】
使用者は、コンロ１を電源オン状態からロック状態に切り替える場合、電源スイッチ１０を時間Ｃ以上押下する。時間Ｃは、例えば、３秒である。電源スイッチ１０の押下が開始されると（Ｓ２２：ＹＥＳ）、ＣＰＵ７１は、スピーカ３１（図３参照）からブザー音を出力する（Ｓ２３）。Ｓ２３で出力されるブザー音は、例えば、１回の短音「ピッ」である。ＣＰＵ７１は、電源ランプ３２（図３参照）を消灯することで、第一発光部１０１（図２参照）を消灯する（Ｓ２４）。ＣＰＵ７１は、Ｓ２３及びＳ２４を実行することで、電源オフ状態に設定するために使用者が行うべき操作が完了したことを、使用者に報知している。このため、報知されない場合に比べて、使用者が、電源オフ状態に設定するための操作が完了したことを認識し易い。
【００４２】
ＣＰＵ７１は、タイマ７５（図３参照）を使用して、時間Ｔ３の計測を０秒から開始する（Ｓ２５）。ＣＰＵ７１は、電源スイッチ１０が押下されているか否かを判断する（Ｓ２６）。電源スイッチ１０が押下されている場合（Ｓ２６：ＹＥＳ）、ＣＰＵ７１は、時間Ｔ３が時間Ｃ以上であるか否かを判断する（Ｓ１２）。時間Ｔ３が時間Ｃ以上でない場合（Ｓ１２：ＮＯ）、ＣＰＵ７１は処理をＳ２６に戻す。
【００４３】
使用者が電源スイッチ１０から手を離し、時間Ｔ３が時間Ｃ未満の間に電源スイッチ１０が押下されなくなった場合（Ｓ２６：ＮＯ）、ＣＰＵ７１はコンロ１を電源オン状態から電源オフ状態に切り替え（Ｓ３４）、処理をＳ４（図４参照）に戻す。すなわち、コンロ１が電源オン状態であり、電源スイッチが時間Ｃ未満押下された場合に、コンロ１の電源がオフされる。
【００４４】
コンロ１をロック状態に切り替えようとする使用者は、電源スイッチ１０の押下を継続する。時間Ｔ３が時間Ｃ以上になると（Ｓ２７：ＹＥＳ）、ＣＰＵ７１は、スピーカ３１からブザー音を出力する（Ｓ２８）。ブザー音は、例えば、２回の短音「ピピッ」である。ＣＰＵ７１は、ＲＯＭ７２に記憶されているアナウンスの音声情報に基づき、スピーカ３１からアナウンスを出力する（Ｓ２９）。Ｓ２９で出力されるアナウンスは、例えば、「ロックしました。」の文章である。ＣＰＵ７１は、電源ランプ３２（図３参照）を消灯することで、第一発光部１０１（図２参照）を消灯する（Ｓ３０）。ＣＰＵ７１は、ロックランプ３３（図３）を発光させることで、第二発光部１０２（図２参照）を発光させる（Ｓ３１）。ＣＰＵ７１は、Ｓ２８〜Ｓ３１を実行することで、コンロ１をロック状態に設定するために使用者が行うべき操作が完了したことを、使用者に報知している。このため、報知されない場合に比べて、使用者は、ロック状態に設定するための操作が完了したことを認識し易い。
【００４５】
ＣＰＵ７１は、電源スイッチ１０が押下されているか否かを判断する（Ｓ３２）。電源スイッチ１０が押下されている場合（Ｓ３２：ＹＥＳ）、ＣＰＵ７１はＳ３２を繰り返す。使用者が電源スイッチ１０から手を離すと、ＣＰＵ７１は、電源スイッチ１０が押下されていないと判断し（Ｓ３２：ＮＯ）、コンロ１の状態を電源オン状態からロック状態に切り替える（Ｓ３３）。すなわち、コンロ１が電源オン状態であり、且つ電源スイッチ１０が時間Ｃ以上押下された場合に、ロック状態に設定される。
【００４６】
次いで、図６に示すように、電源スイッチ１０が押下されているか否かが判断される（Ｓ３５）。電源スイッチ１０が押下されていない場合（Ｓ３５：ＮＯ）、ＣＰＵ７１は、Ｓ３５を繰り返す。すなわち、コンロ１はロック状態であり、操作部２１と電源スイッチ１０との操作を受け付けない状態となっている。以上のように、使用者によって電源スイッチ１０が押下され、コンロ１が電源オフ状態から電源オン状態に切り替えられ、その後、ロック状態に切り替えられる。
【００４７】
図示しないが、Ｓ３５が繰り返された状態において、３分間操作されなかった場合、ＣＰＵ７１は、コンロ１がロック状態であることを示す情報をフラッシュメモリ７４に記憶し、電源回路８１から各種回路への電力の供給を停止する。これによって、コンロ１がスリープ状態となり、状態設定処理が終了される。また、ロックランプ３３は消灯される。図４に示すように、コンロ１がスリープ状態にある場合に使用者が電源スイッチ１０を押下すると、ＣＰＵ７１は、ロック状態であることを示す情報をフラッシュメモリ７４から読み出し（Ｓ１）、読み出した情報がロック状態であることを示す情報であると判断する（Ｓ２：ＹＥＳ）。次いで、ＣＰＵ７１は、ロックランプ３３（図３参照）を発光させることで、第二発光部１０２（図２参照）を発光させ（Ｓ１９）、コンロ１の状態をロック状態に設定する（Ｓ２０）。次いで、ＣＰＵ７１は、図６に示すＳ３５の処理を実行する。このように、スリープ状態に設定される直前のコンロ１の状態がロック状態であれば、コンロ１がロック状態に設定される（Ｓ２０）。
【００４８】
次に、使用者によって電源スイッチ１０が押下され、ロック状態が解除される場合を例示しながら説明する。使用者はロック状態を解除する場合、電源スイッチ１０を時間Ｄ以上押下する。時間Ｄは、例えば３秒である。図６に示すように、電源スイッチ１０の押下が開始されると（Ｓ３５：ＹＥＳ）、ＣＰＵ７１は、スピーカ３１（図３参照）からブザー音を出力する（Ｓ３６）。Ｓ３６で出力されるブザー音は、例えば、１回の短音と１回の長音を組み合わせた音「ピピー」である。ＣＰＵ７１は、ＲＯＭ７２に記憶されているアナウンスの音声情報に基づき、スピーカ３１からアナウンスを出力する（Ｓ３７）。Ｓ３７で出力されるアナウンスは、例えば、「ロック中です」の文章である。ＣＰＵ７１は、Ｓ３６及びＳ３７を実行することで、コンロ１がロック状態であることを使用者に報知する。
【００４９】
ＣＰＵ７１は、タイマ７５（図３参照）を使用して、時間Ｔ４の計測を０秒から開始する（Ｓ３８）。ＣＰＵ７１は、電源スイッチ１０が押下されているか否かを判断する（Ｓ３９）。電源スイッチ１０が押下されている場合（Ｓ３９：ＹＥＳ）、ＣＰＵ７１は、時間Ｔ４が時間Ｄ以上であるか否かを判断する（Ｓ４０）。時間Ｔ４が時間Ｄ以上でない場合（Ｓ４０：ＮＯ）、ＣＰＵ７１は処理をＳ３９に戻す。時間Ｔ４が時間Ｄ未満の間に電源スイッチ１０が押下されなくなった場合（Ｓ３９：ＮＯ）、ＣＰＵ７１は処理をＳ３５に戻す。すなわち、ロック状態が継続される。
【００５０】
ロック状態を解除しようとする使用者は、電源スイッチ１０の押下を継続する。時間Ｔ４が時間Ｄ以上になると（Ｓ４０：ＹＥＳ）、ＣＰＵ７１は、スピーカ３１からブザー音を出力する（Ｓ４１）。Ｓ４１で出力されるブザー音は、例えば、２回の短音「ピピッ」である。ＣＰＵ７１は、ＲＯＭ７２に記憶されているアナウンスの音声情報に基づき、スピーカ３１からアナウンスを出力する（Ｓ４２）。Ｓ４２で出力されるアナウンスは、例えば、「ロック解除しました。」の文章である。ＣＰＵ７１は、電源ランプ３２（図３参照）を発光させることで、第一発光部１０１（図２参照）を発光させる（Ｓ４３）。ＣＰＵ７１は、ロックランプ３３を消灯することで、第二発光部１０２を消灯する（Ｓ４４）。ＣＰＵ７１は、Ｓ４１〜Ｓ４４を実行することで、ロック状態を解除して電源オン状態に設定するために使用者が行うべき操作が完了したことを、使用者に報知している。このため、報知されない場合に比べて、使用者は、電源オン状態に設定するための操作が完了したことを認識し易い。
【００５１】
ＣＰＵ７１は、電源スイッチ１０が押下されているか否かを判断する（Ｓ４５）。電源スイッチ１０が押下されている場合（Ｓ４５：ＹＥＳ）、ＣＰＵ７１はＳ４５を繰り返す。使用者が電源スイッチ１０から手を離すと、ＣＰＵ７１は、電源スイッチ１０が押下されていないと判断し（Ｓ４５：ＮＯ）、コンロ１の状態をロック状態から電源オン状態に切り替える（Ｓ４６）。次いで、ＣＰＵ７１は、図５に示すＳ２２を実行する。以上のように、コンロ１がロック状態である場合において、電源スイッチ１０が時間Ｄ以上操作された場合に、ロック状態が解除され、コンロ１の状態が電源オン状態に切り替えられる。
【００５２】
次に、Ｓ３（図４参照）又はＳ３４（図５参照）でコンロ１が電源オフ状態に設定された後、使用者が電源スイッチ１０を押下し、コンロ１の状態を電源オフ状態からロック状態に設定する場合を例示しながら説明する。
【００５３】
使用者は、電源オフ状態からロック状態に切り替える場合、電源スイッチ１０を時間Ａと時間Ｂとの合計時間以上継続して押下する。電源スイッチ１０の押下が開始されると、前述したようにＳ４〜Ｓ１２の処理が実行される。時間Ｔ２が時間Ｂ以上になると（Ｓ１２：ＹＥＳ）、ＣＰＵ７１は、スピーカ３１からブザー音を出力する（Ｓ１３）。ブザー音は、例えば、２回の短音「ピピッ」である。ＣＰＵ７１は、ＲＯＭ７２に記憶されているアナウンスの音声情報に基づき、スピーカ３１からアナウンスを出力する（Ｓ１４）。アナウンスは、例えば、「ロックしました。」の文章である。ＣＰＵ７１は、電源ランプ３２（図３参照）を消灯することで、第一発光部１０１（図２参照）を消灯する（Ｓ１５）。ＣＰＵ７１は、ロックランプ３３（図３参照）を発光させることで、第二発光部１０２（図２参照）を発光させる（Ｓ１６）。ＣＰＵ７１は、Ｓ１３〜Ｓ１６を実行することで、コンロ１をロック状態に設定するために使用者が行うべき操作が完了したことを、使用者に報知している。このため、報知されない場合に比べて、使用者は、ロック状態に設定するための操作が完了したことを認識し易い。
【００５４】
ＣＰＵ７１は、電源スイッチ１０が押下されているか否かを判断する（Ｓ１７）。電源スイッチ１０が押下されている場合（Ｓ１７：ＹＥＳ）、ＣＰＵ７１はＳ１７を繰り返す。使用者が電源スイッチ１０から手を離すと、ＣＰＵ７１は、電源スイッチ１０が押下されていないと判断し（Ｓ１７：ＮＯ）、コンロ１の状態を電源オフ状態からロック状態に切り替える（Ｓ１８）。
【００５５】
次いで、ＣＰＵ７１は、Ｓ３５（図６参照）の処理を実行する。以上のように、コンロ１が電源オフ状態である場合において、電源スイッチが時間Ａと時間Ｂとの合計時間以上押下された場合に、ロック状態に設定される。
【００５６】
以上のように本実施形態におけるコンロ１が構成され、状態設定処理が実行される。本実施形態では、使用者は、１つの電源スイッチ１０を押下し、電源のオンオフと、ロック状態の設定及び解除とを行うことができる（Ｓ１８、Ｓ２１、Ｓ３３、Ｓ３４、Ｓ４６）。電源をオンオフする機能とロック状態の設定及び解除をする機能とは、共にガス調理器の使用の可否等に関係する機能である。本発明では、１つの電源スイッチ１０を操作して、使用の可否等に関係する機能を切り替えることができるので、電源のオンオフには電源スイッチを操作し、ロック状態の設定及び解除にはロック状態の設定及び解除を行うためのスイッチを探して操作する場合に比べて、ロック状態の設定及び解除を容易に行うことができる。
【００５７】
また、ロック状態の設定及び解除を行うためのスイッチを電源スイッチ１０とは別に設ける場合に比べてスイッチの数が少なくなるので、デザイン性が向上する。また、スイッチの数が少なくなるので、コストダウンすることができる。
【００５８】
また、電源スイッチ１０が時間Ａと時間Ｂとの合計時間以上押下された場合に、電源オフ状態にあるコンロ１が、直接ロック状態に設定される（図４のＳ４〜Ｓ１８）。すなわち、使用者は、電源スイッチ１０を継続して押下するという１つのアクションで、コンロ１を電源オフ状態からロック状態に切り替えることができる。よって、電源スイッチ１０を押下して、コンロ１を電源オフ状態から電源オン状態に切り替えた後に、もう一度電源スイッチ１０を押下してロック状態に切り替えるという２つのアクションでコンロ１をロック状態に設定する場合に比べて、使用者の利便性が向上する。
【００５９】
また、電源スイッチ１０が時間Ｄ以上押下された場合、ロック状態あるコンロ１が電源オン状態に設定される（図６のＳ３５〜Ｓ４６）。すなわち、使用者は、電源スイッチ１０を継続して押下するという１つのアクションで、コンロ１をロック状態から電源オン状態に切り替えることができる。よって、電源スイッチ１０を押下してコンロ１をロック状態から電源オフ状態に切り替えた後に、もう一度電源スイッチ１０を押下して電源オン状態に設定するという２つのアクションでコンロ１を電源オン状態に設定する場合に比べて、使用者の利便性が向上する。
【００６０】
また、使用者が押下する電源スイッチ１０に第一発光部１０１が設けられ、電源スイッチ１０の近傍に第二発光部１０２が設けられている。このため、使用者は、電源スイッチ１０を押下する直前に、容易にコンロ１の状態を確認することができる。よって、例えば、すでにロック状態であるにも関わらず、ロック状態に設定するように電源スイッチ１０を押下するなど、使用者が誤操作を行う可能性を低減できる。
【００６１】
また、使用者がコンロ１を使用しようとする場合、まず、電源スイッチ１０を押下する場合が多い。このとき、ロック状態であれば、電源スイッチ１０が押下された場合に（Ｓ３５：ＹＥＳ）、ロック状態であることが報知される（図６のＳ３６及びＳ３７）。よって、使用者は、コンロ１がロック状態であることを容易に認識することができる。故に、使用者は、電源スイッチ１０を押下した状態から継続して時間Ｄ以上押下すれば、ロック状態を解除できることを容易に判断することができる。よって、使用者は、スムーズにロック状態を解除する操作を行うことができる。
【００６２】
上記説明において、コンロ１が本発明の「ガス調理器」に相当し、点火ボタン１１〜１４が本発明の「点火スイッチ」に相当し、時間Ｃが本発明の「第一所定時間」に相当し、時間Ｄが本発明の「第二所定時間」に相当し、時間Ａと時間Ｂとの合計時間が本発明の「第三所定時間」に相当し、Ｓ２１の処理を行うＣＰＵ７１が本発明の「オン手段」に相当し、Ｓ３４の処理を行うＣＰＵ７１が本発明の「オフ手段」に相当し、Ｓ９及びＳ４３の処理を行うＣＰＵ７１が本発明の「第一発光制御手段」に相当し、Ｓ１６及びＳ３１の処理を行うＣＰＵ７１が本発明の「第二発光制御手段」に相当し、Ｓ４６の処理を行うＣＰＵ７１が本発明の「ロック解除手段」に相当し、Ｓ３６及びＳ３７の処理を行うＣＰＵ７１が
本発明の「報知手段」に相当する。
【００６３】
なお、本発明は上記実施形態に限定されるものではなく、種々の変更が可能である。例えば、Ｓ４〜Ｓ７（図４参照）において、時間Ｔ１が時間Ａ未満である場合（Ｓ６：ＮＯ）、電源オフ状態が継続されていたが、継続されなくてもよい。この場合、ＣＰＵ７１は、Ｓ５〜Ｓ７を実行せず、電源スイッチ１０が押下された場合に（Ｓ４：ＹＥＳ），Ｓ８以降の処理を実行してもよい。本変形例では、コンロ１が電源オフ状態にある場合において、電源スイッチ１０が時間Ｂ未満押下された場合に（Ｓ１１：ＮＯ）、電源オン状態に切り替えられ（Ｓ２１）、電源スイッチ１０が時間Ｂ以上押下された場合に（Ｓ１２：ＹＥＳ）、ロック状態に切り替えられる（Ｓ１８）。本変形例の場合、時間Ｂが本発明の「第三所定時間」に相当する。
【００６４】
また、Ｓ４６（図６参照）でロック状態が解除されて電源オン状態に切り替えられていたが、電源オフ状態に切り替えられていもよい。この場合、ＣＰＵ７１は、電源オフ状態に切り替えた後、Ｓ４（図４参照）の処理を実行してもよい。
【００６５】
また、電源スイッチ１０を継続して押下するという１つのアクションで、コンロ１を電源オフ状態からロック状態に切り替え可能であった（図４のＳ４〜Ｓ１８）。しかし、電源スイッチ１０を押下して、コンロ１を電源オフ状態から電源オン状態に切り替えた後に、もう一度電源スイッチ１０を押下してロック状態に切り替えるという２つのアクションでコンロ１をロック状態に設定できるようにしてもよい。
【００６６】
また、電源スイッチ１０を継続して押下するという１つのアクションで、コンロ１をロック状態から電源オン状態に切り替え可能であった（図６のＳ３５〜Ｓ４６）。しかし、電源スイッチ１０を押下してコンロ１をロック状態から電源オフ状態に切り替えた後に、もう一度電源スイッチ１０を押下して電源オン状態に設定するという２つのアクションでコンロ１を電源オン状態に設定できるようにしてもよい。
【００６７】
また、第一発光部１０１（図２参照）は、電源スイッチ１０に設けられていたが、電源スイッチ１０の近傍、例えば、電源スイッチ１０の上下左右に隣接して設けられていてもよい。第二発光部１０２は電源スイッチ１０の近傍に設けられていたが、電源スイッチ１０に設けられていてもよい。この場合でも、使用者は電源スイッチ１０を押下する直前に容易にコンロ１の状態を確認することができ、使用者が誤操作を行う可能性を低減できる。なお、第一発光部１０１及び第二発光部１０２は、電源スイッチ１０から離れた場所、例えば、器具本体２の前面の左上部に設けられていてもよい。また、第一発光部１０１及び第二発光部１０２は設けられなくてもよい。また、「ロック長押し」の文字（図２参照）が印刷されなくてもよい。
【００６８】
また、点火ボタン１１〜１４、コンロ用操作パネル１８、及びグリル用操作パネル１９は操作部２１に含まれ、作業者は、ロック状態の場合に操作できなかった。しかし、操作部２１は、少なくとも点火ボタン１１〜１４を含んでいればよく、例えば、ロック状態であっても、ＣＰＵ７１はコンロ用操作パネル１８及びグリル用操作パネル１９の操作を受け付けてもよい。
【００６９】
また、コンロ１がロック状態である場合において、電源スイッチ１０が押下された場合（Ｓ３５：ＹＥＳ）、ロック状態であることが報知されたが（Ｓ３６及びＳ３７）、例えば、Ｓ３６及びＳ３７の一方のみが実行されてもよい。また、報知の方法は限定されず、例えば、コンロ１にディスプレイを設け、ＣＰＵ７１がディスプレイにロック状態であることを表示することで、報知してもよい。また、ＣＰＵ７１は、ロックランプ３３を点滅させることで第二発光部１０２を点滅させて、報知してもよい。
【００７０】
また、電源スイッチ１０の操作は、押下することで行われていたが、例えば、左右方向にスライド可能、且つ右方向に弾性付勢されるように電源スイッチ１０を構成し、使用者は、電源スイッチ１０を操作する場合、左方向に電源スイッチ１０をスライドさせるようにしてもよい。
【００７１】
また、ビルトインコンロであるコンロ１を本発明の一例として説明したが、ガス調理器であればよく、例えば、テーブルコンロ、又はグリル庫のみを備えたグリル調理器であってもよい。
【符号の説明】
【００７２】
１    コンロ
４    右バーナ
５    左バーナ
６    奥バーナ
１０    電源スイッチ
１１〜１４    点火ボタン
２１    操作部
７０    制御回路
７１    ＣＰＵ
１０１    第一発光部
１０２    第二発光部
【図１】
2015045445.tif 000003
【図２】
2015045445.tif 000004
【図３】
2015045445.tif 000005
【図４】
2015045445.tif 000006
【図５】
2015045445.tif 000007
【図６】
2015045445.tif 000008